(57)【要約】      （修正有）【課題】洗濯時に遊び心で洗濯できる新規な形状の選択袋の提供。【解決手段】洗濯袋自体が洗濯機中を回転しないようにするために、洗濯機水槽内面に固定する吸着盤４に引っ掛けることが可能な紐体６を洗濯袋本体部に逢着すると共に、視認性に優れたキャラクター付きの洗濯袋。【選択図】図１
0003122428.tif 000002
【実用新案登録請求の範囲】
【請求項１】
可撓製を有するネット地を縫製してなる洗濯袋において、略三角形状に縫製した本体部の上端部にファスナーによって開口が可能な開口部が設けられると共に、先端側端部には吸盤に取り付け可能な紐体が逢着されてキャラクターの頭部を取り付け、前記略三角形の底部縫着部にキャラクターの手足を設けてあることを特徴とするキャラクター付き洗濯袋。
【請求項２】
前記本体部の底部は、下方に膨らみを有するように本体部と縫着されていることを特徴とするキャラクター付き洗濯袋。
【考案の詳細な説明】
【技術分野】
【０００１】
本考案は、下着類を入れる洗濯袋に関し、更に詳しくは、洗濯機本体内部の側面に吸着盤を取付け可能にすると共に、キャラクターを模した頭部や手足を洗濯袋に取付けたことを特徴とするキャラクター付き洗濯袋である。
【背景技術】
【０００２】
従来の洗濯袋は、ネット状の素材で製造されたものは公知であるが、下着類を個別に入れる洗濯袋として、実開昭６２−７６９８６号「洗濯袋」は、「可撓性を有するネット地から裁断された布片が縫製された三角推状の洗濯袋本体が形成され、その一綾部にファスナーが取付けられて開閉自在となされた袋口が形成されてなる洗濯袋」を開示している。
【特許文献１】実開昭６２−７６９８６号公報
【考案の開示】
【考案が解決しようとする課題】
【０００３】
上記のような洗濯袋は、洗濯物である下着類を入れて洗濯機中で回転させながら洗濯するために、洗濯物自体が撚ってしまい下着自体の型を崩してしまう傾向があった。
【０００４】
また、従来の形状は、単に洗濯物を入れて洗濯することを目的とするために、円形形状や三角形状の洗濯袋が主流であり視認性はあまり優れていなかったため、洗濯時に遊び心で洗濯できる新規な形状の開発が望まれていた。
【課題を解決するための手段】
【０００５】
本考案者は、係る課題を解決するために鋭意研究したところ、洗濯袋自体が洗濯機中を回転しないようにするために、洗濯機水槽内面に固定する吸着盤に引っ掛けることが可能な紐体を洗濯袋本体部に逢着すると共に、視認性に優れたキャラクター付きの洗濯袋を提出することができた。
【０００６】
すなわち本考案の第一は、可撓製を有するネット地を縫製してなる洗濯袋において、略三角形状に縫製した本体部の上端部にファスナーによって開口が可能な開口部が設けられると共に、先端側端部には吸盤に取り付け可能な紐体が逢着されてキャラクターの頭部を取り付け、前記略三角形の底部縫着部にキャラクターの手足を設けてあることを特徴とするキャラクター付き洗濯袋である。
【０００７】
本考案の第二は、前記本体部の底部は、下方に膨らみを有するように本体部と縫着されていることを特徴とするキャラクター付き洗濯袋である。
【考案の効果】
【０００８】
本考案の洗濯袋は、吸着盤に洗濯風呂を引っ掛けた状態で洗濯するために、洗濯風呂自体が水の遠心力で撚れることがなく、したがって洗濯袋内部に入れた下着の型くずれを防止することができるものである。
【０００９】
また、キャラクターを本体部に取付けることに寄って視認性を高め、子供自身が洗濯をする際に遊び心を持って対応可能としている。
【考案を実施するための最良の形態】
【００１０】
以下、図面を参照にして本考案の詳細を説明するが、本考案の範囲はこれらに限定されないものである。
【実施例１】
【００１１】
図1は、本考案の洗濯袋の斜視図である。本体部１は亀の子状に孔を開けたポリエステル樹脂製のネット材を底部、左右側面部となるように適正な大きさに裁断して縫着するが、この場合、底部側は底部面が若干の膨らみを有するように左右側面部と併せて縫着し、左右側面部は山形形状にファスナー部２を取付けて縫着した。
【００１２】
さらに、ファスナー開口部の端部には別途洗濯機の内壁面に吸着固定させる吸着盤４の引っ掛け部５に装着する紐体６を輪環状に縫着し、さらに、キャラクターとしてアヒルの手部９と脚部１０とを縫製部2個ずつ逢着した。
【００１３】
この場合、吸着盤は、図２に示すように吸着盤本体部１５と突起部１６とから構成され、突起部には紐体６が掛かりやすいように内部に幅広の空間を有する引っ掛け部５を設けて、洗濯時に紐体6が抜けないように対応している。
【００１４】
また、キャラクターとしてアヒルの頭部７は、前記輪環状の紐体６を頭部背面に逢着した通し部８を介して紐体６に取付け、図３に示すように洗濯時に下着類１３を入れた後に洗濯機内壁面上部に装着固定する吸着盤４の引っ掛け部５に前記紐体６の先端部を掛けて洗濯の準備を行い、適宜洗濯を行った。
【００１５】
洗濯後の下着類１３は、従来のように洗浄水１４の中で回転させられることがないため洗濯袋と下着類が撚られることがなく、型くずれは見られなかった。
【００１６】
図４は、キャラクターとしてカエルを用いた場合の洗濯袋の斜視図である。キャラクターは好みの動物を用いることができ、その場合は、手足をキャラクターに併せて手足を用いると良い。
【図面の簡単な説明】
【００１７】
【図１】本考案の洗濯袋の斜視図である。
【図２】吸着盤を示す側面図である。
【図３】本実施例の洗濯時における説明図である。
【図４】別なキャラクターを取付けた洗濯袋の斜視図である。
【符号の説明】
【００１８】
１・・・本体部
２・・・ファスナー部
３・・・縫製部
４・・・吸着盤
５・・・引っ掛け部
６・・・紐体
７・・・頭部
８・・・通し部
９・・・手部
１０・・・脚部
１１・・下面（膨らみ）
１２・・洗濯機
１３・・下着類
１４・・洗浄水
１５・・吸着盤本体部
１６・・吸着盤突起部
【図１】
0003122428.tif 000003
【図２】
0003122428.tif 000004
【図３】
0003122428.tif 000005
【図４】
0003122428.tif 000006
【手続補正書】
【提出日】平成18年3月1日(2006.3.1)
【手続補正１】
【補正対象書類名】実用新案登録請求の範囲
【補正対象項目名】全文
【補正方法】変更
【補正の内容】
【実用新案登録請求の範囲】
【請求項１】
可撓性を有するネット地を縫製してなる洗濯袋において、略三角形状に縫製した本体部の上端部にファスナーによって開口が可能な開口部が設けられると共に、先端側端部には吸盤に取り付け可能な紐体が逢着されてキャラクターの頭部を取り付け、前記略三角形の底部縫着部にキャラクターの手足を設けてあることを特徴とするキャラクター付き洗濯袋。
【請求項２】
前記本体部の底部は、下方に膨らみを有するように本体部と縫着されていることを特徴とするキャラクター付き洗濯袋。
【手続補正２】
【補正対象書類名】明細書
【補正対象項目名】全文
【補正方法】変更
【補正の内容】
【考案の詳細な説明】
【技術分野】
【０００１】
本考案は、下着類を入れる洗濯袋に関し、更に詳しくは、洗濯機本体内部の側面に吸着盤を取付け可能にすると共に、キャラクターを模した頭部や手足を洗濯袋に取付けたことを特徴とするキャラクター付き洗濯袋である。
【背景技術】
【０００２】
従来の洗濯袋は、ネット状の素材で製造されたものは公知であるが、下着類を個別に入れる洗濯袋として、実開昭６２−７６９８６号「洗濯袋」は、「可撓性を有するネット地から裁断された布片が縫製された三角推状の洗濯袋本体が形成され、その一綾部にファスナーが取付けられて開閉自在となされた袋口が形成されてなる洗濯袋」を開示している。
【特許文献１】実開昭６２−７６９８６号公報
【考案の開示】
【考案が解決しようとする課題】
【０００３】
上記のような洗濯袋は、洗濯物である下着類を入れて洗濯機中で回転させながら洗濯するために、洗濯物自体が撚ってしまい下着自体の型を崩してしまう傾向があった。
【０００４】
また、従来の形状は、単に洗濯物を入れて洗濯することを目的とするために、円形形状や三角形状の洗濯袋が主流であり視認性はあまり優れていなかったため、洗濯時に遊び心で洗濯できる新規な形状の開発が望まれていた。
【課題を解決するための手段】
【０００５】
本考案者は、係る課題を解決するために鋭意研究したところ、洗濯袋自体が洗濯機中を回転しないようにするために、洗濯機水槽内面に固定する吸着盤に引っ掛けることが可能な紐体を洗濯袋本体部に逢着すると共に、視認性に優れたキャラクター付きの洗濯袋を提出することができた。
【０００６】
すなわち本考案の第一は、可撓性を有するネット地を縫製してなる洗濯袋において、略三角形状に縫製した本体部の上端部にファスナーによって開口が可能な開口部が設けられると共に、先端側端部には吸盤に取り付け可能な紐体が逢着されてキャラクターの頭部を取り付け、前記略三角形の底部縫着部にキャラクターの手足を設けてあることを特徴とするキャラクター付き洗濯袋である。
【０００７】
本考案の第二は、前記本体部の底部は、下方に膨らみを有するように本体部と縫着されていることを特徴とするキャラクター付き洗濯袋である。
【考案の効果】
【０００８】
本考案の洗濯袋は、吸着盤に洗濯風呂を引っ掛けた状態で洗濯するために、洗濯袋自体が水の遠心力で撚れることがなく、したがって洗濯袋内部に入れた下着の型くずれを防止することができるものである。
【０００９】
また、キャラクターを本体部に取付けることに寄って視認性を高め、子供自身が洗濯をする際に遊び心を持って対応可能としている。
【考案を実施するための最良の形態】
【００１０】
以下、図面を参照にして本考案の詳細を説明するが、本考案の範囲はこれらに限定されないものである。
【実施例１】
【００１１】
図1は、本考案の洗濯袋の斜視図である。本体部１は亀の子状に孔を開けたポリエステル樹脂製のネット材を底部、左右側面部となるように適正な大きさに裁断して縫着するが、この場合、底部側は底部面が若干の膨らみを有するように左右側面部と併せて縫着し、左右側面部は山形形状にファスナー部２を取付けて縫着した。
【００１２】
さらに、ファスナー開口部の端部には別途洗濯機の内壁面に吸着固定させる吸着盤４の引っ掛け部５に装着する紐体６を輪環状に縫着し、さらに、キャラクターとしてアヒルの手部９と脚部１０とを縫製部2個ずつ逢着した。
【００１３】
この場合、吸着盤は、図２に示すように吸着盤本体部１５と突起部１６とから構成され、突起部には紐体６が掛かりやすいように内部に幅広の空間を有する引っ掛け部５を設けて、洗濯時に紐体6が抜けないように対応している。
【００１４】
また、キャラクターとしてアヒルの頭部７は、前記輪環状の紐体６を頭部背面に逢着した通し部８を介して紐体６に取付け、図３に示すように洗濯時に下着類１３を入れた後に洗濯機内壁面上部に装着固定する吸着盤４の引っ掛け部５に前記紐体６の先端部を掛けて洗濯の準備を行い、適宜洗濯を行った。
【００１５】
洗濯後の下着類１３は、従来のように洗浄水１４の中で回転させられることがないため洗濯袋と下着類が撚られることがなく、型くずれは見られなかった。
【００１６】
図４は、キャラクターとしてカエルを用いた場合の洗濯袋の斜視図である。キャラクターは好みの動物を用いることができ、その場合は、手足をキャラクターに併せて手足を用いると良い。
【図面の簡単な説明】
【００１７】
【図１】本考案の洗濯袋の斜視図である。
【図２】吸着盤を示す側面図である。
【図３】本実施例の洗濯時における説明図である。
【図４】別なキャラクターを取付けた洗濯袋の斜視図である。
【符号の説明】
【００１８】
１・・・本体部
２・・・ファスナー部
３・・・縫製部
４・・・吸着盤
５・・・引っ掛け部
６・・・紐体
７・・・頭部
８・・・通し部
９・・・手部
１０・・脚部
１１・・下面（膨らみ）
１２・・洗濯機
１３・・下着類
１４・・洗浄水
１５・・吸着盤本体部
１６・・吸着盤突起部
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
可撓製を有するネット地を縫製してなる洗濯袋において、略三角形状に縫製した本体部の上端部にファスナーによって開口が可能な開口部が設けられると共に、先端側端部には吸盤に取り付け可能な紐体が逢着されてキャラクターの頭部を取り付け、前記略三角形の底部縫着部にキャラクターの手足を設けてあることを特徴とするキャラクター付き洗濯袋。
【請求項２】
前記本体部の底部は、下方に膨らみを有するように本体部と縫着されていることを特徴とする請求項１記載のキャラクター付き洗濯袋。